【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】  半径流反応器装置であって、
（ａ）実質的に円筒形の反応器ハウジングであって、該反応器の中心軸の周囲の反応器コア領域を含む反応器内部、該反応器コア領域の第１端に隣接する反応器入口領域、および該反応器コア領域の第２端に隣接する反応器出口領域を画定している反応器ハウジング；
（ｂ）該反応器入口領域に流体反応ストリームを供給する反応器フィード入口；（ｃ）該反応器内部にあって該反応器コア領域を半径方向に取り囲む第１環形触媒床領域であって、触媒材料からなる第１床をその中に保持し、かつ流体流れを通過させるのに適当なメッシュサイズの多孔質材料からなる実質的に同心の第１床内壁および第１床外壁によって画定されている第１環形触媒床領域；
（ｄ）該第１環形床を半径方向に取り囲む第２環形領域であって、該第１環形領域の外壁が該第２環形領域の内壁を画定している第２環形領域；
（ｅ）該反応器出口領域から流体反応生成物ストリームを回収する反応器生成物出口；ならびに
（ｆ）該反応器コア領域内の該触媒床領域の外側に該第１床内壁に沿って軸方向に配された複数の熱交換管および／または該第２環形領域内に該第１床外壁に沿って軸方向に配された複数の熱交換管
を組み合せて有しており、さらに、該反応器内部が、該反応器入口領域から該反応器コア領域へと該触媒床領域のいずれの部分をも通過することなく実質的に軸方向に続く第１の軸方向部分；該反応器コア領域から、該第１床内壁に沿った各熱交換管のいずれかを横切り、該触媒床領域を抜け、該第１床外壁に沿った各熱交換管のいずれかを横切って該第２環形領域へと実質的に半径方向に続く半径方向部分；および該第２環形領域から該反応器出口領域へと実質的に軸方向に続く第２の軸方向部分の順でなる流体ストリーム流路を画定していることを特徴とする半径流反応器装置。
【請求項２】  前記熱交換管が前記反応器コア領域内に配置されている請求項１記載の半径流反応器装置。
【請求項３】  前記熱交換管が、前記流体ストリームが前記第１触媒床領域に半径方向に流入する前または前記第１触媒床領域から半径方向に流出した後またはその両時点で、実質的に軸方向に均一な熱エネルギー交換を前記流体ストリームに提供することができるような形状、数、サイズ、および配置で前記第１触媒床領域に対して設けられている請求項１記載の半径流反応器装置。
【請求項４】  前記熱交換管が、前記第１床内壁、または前記第１床外壁、またはその双方の近くに概ね円形の構成で間隔を置いて配置されている請求項１記載の半径流反応器装置。
【請求項５】  前記熱交換管が、前記第１床外壁に沿って概ね円形の構成で間隔を置いて配置されている請求項１記載の半径流反応器装置。
【請求項６】  前記熱交換管の少なくともいくつかがフィン部材を有している請求項１記載の半径流反応器装置。
【請求項７】  前記熱交換管が、軸方向に配置された、流動熱伝達媒体を運ぶ複数の熱交換管からなる請求項１記載の半径流反応器装置。
【請求項８】  前記熱交換管が、軸方向に配置された複数の熱伝導性熱交換管からなり、該熱交換管がそれぞれ、可燃材料の内部被制御燃焼手段、ならびに該可燃材料および酸化剤を該管の内部に供給する手段を有している請求項１記載の半径流反応器装置。
【請求項９】  前記熱交換管が、軸方向に配置され熱伝達媒体が充填された複数の熱交換管と、該熱伝達媒体を加熱または冷却する手段とを有している請求項１記載の半径流反応器装置。
【請求項１０】  前記加熱手段が電気抵抗加熱器からなる請求項９記載の半径流反応器装置。
【請求項１１】  前記反応器内部内に、前記第２環形領域を半径方向に取り囲み、前記触媒材料からなる第１床から半径方向に離隔された第３環形領域であって、触媒材料からなる第２床をその中に保持し、かつ流体流れを通過させるのに適当なメッシュサイズの多孔質材料からなる実質的に同心の第２床内壁および第２床外壁によって画定された第３環形領域；および該第３環形領域を半径方向に取り囲む第４環形領域をさらに有する請求項１記載の半径流反応器装置。
【請求項１２】  前記第２環形領域内に配置された熱交換管を有する請求項１１記載の半径流反応器装置。
【請求項１３】  前記反応器コア領域内に配置された流体変位手段をさらに有する請求項１２記載の半径流反応器装置。
【請求項１４】  前記反応器コア領域内に配置された第１熱交換管群と、前記第２環形領域内に配置された第２熱交換管群とを有する請求項１１記載の半径流反応器装置。
【請求項１５】  前記反応器コア領域内に配置された第１熱交換管群、前記第２環形領域内に配置された第２熱交換管群、および前記第４環形領域内に配置された第３熱交換管群を有する請求項１１記載の半径流反応器装置。
【請求項１６】  半径方向に間隔を置いて配置された複数の環形触媒床を有し、該触媒床がそれぞれ触媒材料をその中に保持し、かつ流体流れを通過させるのに適当なメッシュサイズの多孔質材料からなる実質的に同心の内壁および外壁によって画定され、さらに、隣接する各触媒床を分離する少なくとも１つの環形領域の内部に軸方向に配置された熱交換管群を有する請求項１記載の半径流反応器装置。
【請求項１７】  流体反応ストリームを実質的に円筒形の反応器内に収容された触媒材料と接触させることによって処理する方法であって、該反応器が、該反応器の中心軸の周囲の反応器コア領域、該反応器コア領域の第１端に隣接する反応器入口領域、該反応器コア領域の第２端に隣接する反応器出口領域、少なくとも、該反応器コア領域を半径方向に取り囲み、多孔質材料からなる実質的に同心の第１床内壁および第１床外壁によって画定される第１環形触媒床、および該第１触媒床を半径方向に取り囲む第１環形収集領域を有しており、さらに該反応器コア領域内に該第１床内壁に沿って軸方向に配された熱交換管および／または該第１環形収集領域内に該第１床外壁に沿って軸方向に配された熱交換管を有している処理方法であって：
（ａ）流体反応ストリームを該反応器入口領域から該反応器コア領域へと該第１触媒床のいずれの部分をも通過することなく実質的に軸方向に流す工程；
（ｂ）該流体反応ストリームを該反応器コア領域から、該第１床内壁に沿ったいずれかの熱交換管を横切り、該第１触媒床に入って抜けるように実質的に半径方向に流し、それによって該流体反応ストリームを触媒に接触させて第１床生成物ストリームを生成する工程；
（ｃ）該第１床生成物ストリームを、該第１触媒床を抜け、該第１床外壁に沿ったいずれかの熱交換管を横切って該第１収集領域へと実質的に半径方向に流す工程；および
（ｄ）該第１床生成物ストリームを該第１収集領域から該反応器出口領域へと実質的に軸方向に、あるいは隣接する第２触媒床へと実質的に半径方向に流す工程を有することを特徴とする処理方法。
【請求項１８】  前記熱交換管が、前記第１床内壁、前記第１床外壁、またはその双方の近くに概ね円形の構成で間隔を置いて配置されている請求項１７記載の方法。
【請求項１９】  前記熱交換管が、前記第１床外壁の近くに概ね円形の構成で間隔を置いて配置されている請求項１７記載の方法。
【請求項２０】  前記熱交換管の少なくともいくつかがフィン部材を含んでいる請求項１７記載の方法。
【請求項２１】  前記熱交換管が流動熱伝達媒体を運ぶ請求項１７記載の方法。
【請求項２２】  前記熱交換管が、可燃材料および酸化剤を該管の内部に供給することによる該可燃材料の内部被制御燃焼によって加熱される請求項１７記載の方法。
【請求項２３】  前記熱交換管が電気抵抗加熱部品を有している請求項１７記載の方法。
【請求項２４】  前記反応器内部がさらに、前記第１環形収集領域を半径方向に取り囲む同心の第２床内壁および第２床外壁によって画定された第２環形触媒床ならびに該第２触媒床を半径方向に取り囲む第２環形収集領域を有しており、かつ、前記第１床生成物ストリームを、前記第１収集領域を抜けて該第２触媒床中に実質的に半径方向に流入、通過させ、これによって前記第１床生成物ストリームを該第２触媒床に含まれる触媒と接触させて第２床生成物ストリームを生成する工程；該第２床生成物ストリームを該第２触媒床から流出させて該第２収集領域に実質的に半径方向に流入させる工程；および該第２床生成物ストリームを該第２収集領域から該反応器出口領域へと実質的に軸方向に流す工程をさらに有する請求項１７記載の方法。
【請求項２５】  前記流体反応ストリームを前記反応器コア領域内に位置する熱交換管と接触させる請求項２４記載の方法。
【請求項２６】  前記第１床生成物ストリームを前記第１収集領域内に位置する熱交換管と接触させる工程をさらに有する請求項２５記載の方法。
【請求項２７】  前記第２床生成物ストリームを前記第２収集領域内に位置する熱交換管と接触させる工程をさらに有する請求項２６記載の方法。
【請求項２８】  前記流体反応ストリームを、前記反応器コア領域から、前記反応器内部に半径方向に間隔を置いて配置された、直径が順に増大する複数の追加の環形触媒床中に実質的に半径方向に順々に流入、通過させる工程をさらに有しており、隣接する各触媒床が環形収集領域によって分離されており、触媒床列の最後の触媒床中で最終生成物ストリームを生成する請求項１７記載の方法。
【請求項２９】  半径方向に流れるストリームを各触媒床間の複数の環形収集領域内に軸方向に配された熱交換管と接触させる工程をさらに有する請求項２８記載の方法。
【請求項３０】  半径方向に流れるストリームを各触媒床間の各環形収集領域のそれぞれの中の熱交換管と接触させる工程をさらに有する請求項２８記載の方法。